(57)【要約】      （修正有）【課題】おまけ商品を収納することができ、かつ複数の商品を収納した親カートンに簡単に着脱することができる、販促グッズとして好適なおまけ商品カートンを提供する。【解決手段】前後壁４１，４２及び上下壁４３，４４を有する角筒状をなし、その前後壁と上下壁で囲まれた空間に商品を収納する親カートンに着脱可能なおまけ商品カートン１００であって、親カートンの前後壁の左右端部裏面と該親カートンに収納された商品との間に挿入して支持される左右の差し込み板部２３と、この左右の差し込み板部に連続して親カートンの前後壁４１，４２の外方に位置する商品保持部２１と、を備えておまけ商品カートン１００を形成する。【選択図】図５
0003168858.tif 000002
【実用新案登録請求の範囲】
【請求項１】
前後壁及び上下壁を有する角筒状をなし、その前後壁と上下壁で囲まれた空間に商品を収納する親カートンに着脱可能なおまけ商品カートンであって、
上記親カートンの前後壁の左右端部裏面と該親カートンに収納された商品との間に挿入して支持される左右の差し込み板部と、
この左右の差し込み板部に連続して親カートンの前後壁の外方に位置する商品保持部と、
を有することを特徴とするおまけ商品カートン。
【請求項２】
前後壁及び上下壁を有する角筒状をなし、その前後壁と上下壁で囲まれた空間に商品を収納する親カートンに着脱可能なおまけ商品カートンであって、
紙製であること；
展開状態において少なくとも一つの底板部で繋がれた前板部と後板部を有すること；
この前板部と後板部はそれぞれ、底板部に連なる商品収納板部と、その左右の重ね合わせ板部を有すること；
前板部と後板部の商品収納板部を結束せず左右の重ね合わせ板部を結束する手段を有すること；
左右の重ね合わせ板部の端部は、同一方向に折曲されている差し込み板部であること；
この左右の差し込み板部は、親カートンの前後壁と該親カートンに収納された商品との間に差し込んで支持されること；及び
前板部と後板部の商品収納板部は、互いに離間して底板部との間に商品を収納すること；
を特徴とするおまけ商品カートン。
【請求項３】
請求項２記載のおまけ商品カートンにおいて、前後の商品収納板部を結束せず左右の重ね合わせ板部を結束する手段は、前板部と後板部のいずれか一方に、他方の上に折曲して重ねる結束舌片であるおまけ商品カートン。
【請求項４】
請求項２記載のおまけ商品カートンにおいて、前板部と後板部の商品収納板部を結束せず左右の重ね合わせ板部を結束する手段は両面テープであるおまけ商品カートン。
【考案の詳細な説明】
【技術分野】
【０００１】
本考案は、例えば複数本の商品（一般的に缶飲料）を収納した商品カートン（複数本販売用パッケージ）に着脱可能なおまけ商品カートンに関する。
【背景技術】
【０００２】
例えば缶ビールや缶コーヒー等の缶飲料（筒状商品）は、複数本（一般的に６本）を紙製商品カートンに収納して販売することが一般的に行われている。一方、販促のために、同じ商品（または別の商品）をおまけとして付加することがある。
【考案の概要】
【考案が解決しようとする課題】
【０００３】
このようなおまけ商品は、販促の目的上、親カートンと一緒に運搬できる（される）ことが好ましいが、従来このような要望に応えることができるおまけ商品カートンは知られていない。
【０００４】
従って本考案は、おまけ商品を収納することができ、かつ複数の商品を収納した親カートンに簡単に着脱することができる、販促グッズとして好適なおまけ商品カートンを得ることを目的とする。
【課題を解決するための手段】
【０００５】
本考案の対象とする親カートンは、前後壁及び上下壁を有する角筒状をなし、その前後壁と上下壁で囲まれた空間に商品を収納する。上壁には把持部（指掛凹部、吊下ハンドル）が形成されるのが一般的である。
【０００６】
そして、本考案によるおまけ商品カートンは、前後壁及び上下壁を有する角筒状をなし、その前後壁と上下壁で囲まれた空間に商品を収納する親カートンに着脱可能なおまけ商品カートンであって、親カートンの前後壁の左右端部裏面と該親カートンに収納された商品との間に挿入して支持される左右の差し込み板部と、この左右の差し込み板部に連続して親カートンの前後壁の外方に位置する商品保持部と、を有することを特徴としている。
【０００７】
本考案によるおまけ商品カートンは、より具体的には、前後壁及び上下壁を有する角筒状をなし、その前後壁と上下壁で囲まれた空間に商品を収納する親カートンに着脱可能なおまけ商品カートンであって、紙製であること；展開状態において少なくとも一つの底板部で繋がれた前板部と後板部を有すること；この前板部と後板部はそれぞれ、底板部に連なる商品収納板部と、その左右の重ね合わせ板部を有すること；前板部と後板部の商品収納板部を結束せず左右の重ね合わせ板部を結束する手段を有すること；左右の重ね合わせ板部の端部は、同一方向に折曲されている差し込み板部であること；この左右の差し込み板部は、親カートンの前後壁と該親カートンに収納された商品との間に差し込んで支持されること；及び前板部と後板部の商品収納板部は、互いに離間して底板部との間に商品を収納すること；を特徴としている。
【０００８】
前後の商品収納板部を結束せず左右の重ね合わせ板部を結束する手段は、前板部と後板部のいずれか一方に、他方の上に折曲して重ねる結束舌片から構成することで、何らの接着手段を要しない。
【０００９】
勿論、前板部と後板部の商品収納板部を結束せず左右の重ね合わせ板部を結束する手段を両面テープ（接着糊）とすることも可能である。
【考案の効果】
【００１０】
本考案によれば、おまけ商品を収納し、親カートンに対して簡単に着脱して用いることができるおまけ商品カートンを得ることができ、スマートな販促グッズとして使用することができる。
【図面の簡単な説明】
【００１１】
【図１】本考案によるおまけ商品カートンの一実施形態を示す展開図である。
【図２】同カートンの折り曲げ途中の斜視図である。
【図３】同カートンの折り曲げ途中の別の斜視図である。
【図４】同カートンを親カートンに装着した状態の斜視図である。
【図５】図４のV-V線に沿う断面図である。
【図６】本考案によるおまけ商品カートンの別の実施形態を示す展開図である。
【考案を実施するための形態】
【００１２】
図１は、本考案による紙製おまけ商品カートン１００の展開図である。おまけ商品カートン１００は、横長の前板部１０と後板部２０を有し、この横長の前板部１０と後板部２０が長さ方向の中央部の底板部３０で接続されている。底板部３０は円形をなしており、その前板部１０と後板部２０側の両端部に、接続縁３１、３２が形成されている。
【００１３】
前板部１０は、接続縁３１で底板部３０に接続された商品収納板部（商品保持部）１１と、この商品収納板部１１の左右に連続する重ね合わせ板部１２を有し、重ね合わせ板部１２の端部は差し込み板部１３を構成している。商品収納板部１１と重ね合わせ板部１２の間、及び重ね合わせ板部１２と差し込み板部１３の間には、前板部１０の長手方向と直交する互いに平行な折曲ガイド（筋押し溝又はミシン目）１４と１５が形成されている。接続縁３１と商品収納板部１１の接続部には、前板部１０の長手方向と平行な谷折りガイド（筋押し溝又はミシン目）１６が形成されている。
【００１４】
後板部２０は、前板部１０と同様に、接続縁３２で底板部３０に接続された商品収納板部（商品保持部）２１と、この商品収納板部２１の左右に連続する重ね合わせ板部２２を有し、重ね合わせ板部２２の端部は差し込み板部２３を構成している。商品収納板部２１と重ね合わせ板部２２の間、及び重ね合わせ板部２２と差し込み板部２３の間には、後板部２０の長手方向と直交する互いに平行な折曲ガイド（筋押し溝又はミシン目）２４と２５が形成されている。接続縁３２と商品収納板部２１の接続部には、後板部２０の長手方向と平行な谷折りガイド（筋押し溝又はミシン目）２６が形成されている。
【００１５】
前板部１０の左右の重ね合わせ板部１２には、前板部１０の長手方向と平行な折曲ガイド（筋押し溝又はミシン目）１７を介して結束舌片１８が形成されている。
【００１６】
底板部３０には、その中心部に前板部１０（後板部２０）の長手方向と平行な山折りガイド（筋押し溝又はミシン目）３３が形成されている。
【００１７】
以上のおまけ商品カートン１００は、底板部３０の山折りガイド３３を山折りし、谷折りガイド１６と２６を谷折りすることで、前板部１０と後板部２０を重ね合わせて全体として平面状とすることができる（図２、図３）。
【００１８】
このおまけ商品カートン１００は、図４、図５に示すように、紙製の親カートン（商品カートン（複数本販売用パッケージ））４０に結合して用いられる。親カートン４０は、前後壁４１、４２及び上下壁４３、４４を有する角筒状をなしており、この例では６本の商品缶Ｓがこの角筒状の空間に収納されている。親カートン４０は一般的に紙製であるが紙製に限らない。
【００１９】
おまけ商品カートン１００を親カートン４０に結合する際には、前板部１０と後板部２０が重ね合わされた状態において、結束舌片１８を折曲ガイド１７に沿って重ね合わせ板部２２上に折り曲げる。すると、前板部１０の重ね合わせ板部１２と後板部２０の重ね合わせ板部２２が仮に結合された状態となる（図３、図５）。このとき、商品収納板部１１と２１は、互いに離反可能である。
【００２０】
次に、重ね合わされた前板部１０の重ね合わせ板部１２と後板部２０の重ね合わせ板部２２を、折曲ガイド１５と２５に沿って結束舌片１８に向けて折り曲げる。すると差し込み板部１３と２３が重ね合わされるから、この重ね合わされた差し込み板部１３と２３を親カートン４０の前後壁４１または４２の左右端部裏面と商品缶Ｓとの間に挿入することができる（図３、図５）。差し込み板部１３と２３の長さは、親カートン４０の前後壁４１または４２の裏面と商品缶Ｓとの間に挿入したとき、前後壁４１または４２と商品缶Ｓとの間に十分な保持力で保持される長さに設定されている。
【００２１】
おまけ用の商品缶Ｓは、この状態において、商品収納板部１１と２１を開いて、両商品収納板部１１、１２と底板部３０の間に挿入する。おまけ商品カートン１００を親カートン４０に装着した状態では、前板部１０と後板部２０に張力が加わり、商品収納板部１１と２１の間隔が狭まろうとするので、おまけ用の商品缶Ｓを親カートン４０の前方（外方）にしっかりと保持することができる。
【００２２】
従って、親カートン４０を上下壁４３に設けた指掛凹部（図示せず）に指を掛けて運ぶと、おまけ商品カートン１００の商品収納板部１１と２１の間に保持された商品缶Ｓも一緒に運ばれる。実際、本おまけ商品カートン１００を適当な強度（厚さ）の紙材から構成することで、親カートン４０に保持される商品缶Ｓと同一の１つのおまけ用の商品缶Ｓを問題なく一緒に運ぶことができた。紙材としては、例えばカード紙２３キロを用いることができる。
【００２３】
図６は、本考案によるおまけ商品カートン１００の別の実施形態を示している。このおまけ商品カートン１００は、結束舌片１８に代えて、両面テープ（接着糊）１９を用いた実施形態である。両面テープ１９は、前板部１０の左右の重ね合わせ板部１２の商品収納板部１１側の端部にそれぞれ設けられている。展開状態では、両面テープ１９に剥離紙を貼付しておき、前板部１０と後板部２０を重ね合わせるとき同剥離紙を剥離して重ね合わせ板部１２と２２を接着する。この接着状態でも、商品収納板部１１と２１は離反可能であるから、離反させた状態で、商品収納板部１１と２１の間に商品缶Ｓを収納することができる。商品収納板部１１と２１を離反させるには、商品収納板部１１と２１に直接離反方向の力を加える他、重ね合わされた（両面テープ１９で接着された）前板部１０と後板部２０（商品収納板部１１と２１）に長さが短くなる方向の力を加えることによっても、離反させることができる。
【００２４】
以上の実施形態では、前板部１０と後板部２０を一つの底板部３０で接続したが、商品缶Ｓの大きさによっては（小さい商品缶であれば）、２つ以上の底板部３０を設けることも可能である。また、商品収納板部１１と２１の間に保持収納する商品缶Ｓは、親カートン４０に保持する商品缶Ｓと同一とすることが一般的な販促態様であるが、別の（小さい）商品缶Ｓを収納してもよい。
【符号の説明】
【００２５】
１０  前板部
１１  商品収納板部（商品保持部）
１２  重ね合わせ板部
１３  差し込み板部
１４  １５  折曲ガイド（溝又はミシン目）
１６  谷折りガイド（溝又はミシン目）
１７  折曲ガイド
１８  結束舌片
１９  両面テープ
２０  後板部
２１  商品収納板部（商品保持部）
２２  重ね合わせ板部
２３  差し込み板部
２４  ２５  折曲ガイド（筋押し溝又はミシン目）
２６  谷折りガイド（筋押し溝又はミシン目）
３０  底板部
３１  ３２  接続縁
３３  山折りガイド（筋押し溝又はミシン目）
４０  親カートン
４１  ４２  前後壁
４３  ４４  上下壁
１００  おまけ商品カートン
Ｓ  商品缶
【図１】
0003168858.tif 000003
【図２】
0003168858.tif 000004
【図３】
0003168858.tif 000005
【図４】
0003168858.tif 000006
【図５】
0003168858.tif 000007
【図６】
0003168858.tif 000008